(57)【要約】      （修正有）【課題】ＡＣアダプターに電源供給しながら、他の機器への電源確保ができ、又、ＡＣアダプターに接続しない場合は、通常の電源タップとして使用できるＡＣアダプター用電源コードタップを提供する。【解決手段】機器用ＡＣアダプターに接続する事が可能な機器用差込プラグ１１と、家庭用電源コンセントに差し込み可能な差込プラグ１３を結ぶ電源コードの中間位置に、電源コンセントの口数を１つ以上有するタップ部１２を備える。又は、機器用ＡＣアダプターの本体に使用されているインレットと同形状のインレット型差し込みプラグを結ぶ電源コードの中間位置に、電源コンセントの口数を１つ以上有するタップ部を備える。【選択図】図４
0003139657.tif 000002
【実用新案登録請求の範囲】
【請求項１】
機器用ＡＣアダプターに接続する事が可能な機器用差込プラグと、家庭用電源コンセントに差し込み可能な差込みプラグを結ぶ電源コードの中間位置に、電源コンセントの口数を１つ以上有するタップ部を備えた、ＡＣアダプター用電源コードタップ。
【請求項２】
機器用ＡＣアダプターに接続する事が可能な機器用差込プラグと、機器用ＡＣアダプターの本体に使用されているインレットと同形状のインレット型差込みプラグを結ぶ電源コードの中間位置に、電源コンセントの口数を１つ以上有するタップ部を備えた、ＡＣアダプター用中継電源コードタップ。
【考案の詳細な説明】
【技術分野】
【０００１】  本考案は、電源タップに関するものであり、ＡＣアダプターに接続する電源コードとしてＡＣアダプターに電源供給をしながら、他の機器への電源確保ができ、又、ＡＣアダプターに接続しない場合は、通常の電源タップとして使用できる様にしたものである。
【背景技術】
【０００２】  従来から、家庭用コンセントに差し込み、複数のコンセント口へ電源を分配する電源タップは利用されている。
【考案の開示】
【考案が解決しようとする課題】
【０００３】  近年、色々な携帯性に優れた機器を同時に使用することが増えており、確保が必要な電源コンセントの数も必然的に必要となっている。しかし、環境により、必要な電源コンセントの数が確保し難く又，確保出来ても位置が遠い場合には電源タップを使用するが、電線の長いものは持ち運びに不便であり、携帯に便利な電線の短いものは必要な場所での電源確保が出来なく不便であった。又、携帯性に便利な機器は、ＡＣアダプターから電源供給を受ける場合が多く、機器を使用する場合はＡＣアダプターとＡＣアダプターに接続する電源コードも必要となり、電源タップと一緒に持ち運ぶには荷物が増えて非常に不便である。
【課題を解決するための手段】
【０００４】  この課題を解決するための請求項１の考案は、ＡＣアダプター用電源コードにタップ部分を追加して、接続したＡＣアダプターに電源を供給しながら、他の機器にも電源供給が可能なタップ部有することを特徴とする、ＡＣアダプター用電源コードタップである。例として、電源コンセント口から、ＡＣアダプター用電源コードとＡＣアダプターを介して電源供給を受けて機器を使用した場合、電源コンセント口が少ない環境では、他の機器の電源は電源タップにて確保するが、本考案品を使用する事により、機器用ＡＣアダプターに接続する電源コードは必要が無く、持ち運ぶ場合に荷物を少なくすることが出来る。又電線の短い携帯用電源タップを使用した際に、電源コンセント口付近で電源確保をしなくてはならないという不便さも解消出来る。【０００５】  請求項２の考案は、請求項１で解説した考案品とＡＣアダプターに接続する内容は同じであるが、機器用電源コードと機器用ＡＣアダプターの間に接続して、電源を確保するＡＣアダプター用中継電源コードタップである。機器用電源コードと機器用ＡＣアダプターの間に接続する事により、電源コンセント口から、より距離が遠い場所までタップ部分が届き、必要な場所で電源供給が可能である。
【考案の効果】
【０００６】  電源コンセント口からＡＣアダプター用電源コードと、ＡＣアダプター介して電源供給を受ける機器を使用する場合、ＡＣアダプター用電源コードを本考案品のＡＣアダプター用電源コードタップに変えることにより、電源タップと同じ機能も確保できる為、他の機器への電源確保に電源タップは必要が無く、持ち運ぶ場合でも荷物を少なくすることができる。又携帯に便利な電線の短い電源タップとは違い、必要な場所での電源確保がし易く又、ＡＣアダプター用電源コードタップをＡＣアダプターに接続しない場合は、通常の電源タップとしても使用可能である。【０００７】ＡＣアダプター用中継電源コードタップにおいては、機器用電源コードと機器用ＡＣアダプターの間に接続することにより、電源コンセント口から電源供給が必要な場所までの距離がより遠い場合でも、電源確保がし易くなる。
【考案を実施するための最良の形態】
【０００８】  本考案品に係るＡＣアダプター用電源コードタップは図４に示すように、機器用ＡＣアダプターに接続する機器用差込プラグ１１と、複数の電源コンセント口を有する電源タップ部１２及び電源コンセントに挿入可能な差込プラグ１３と、タップ部から電源コンセントに挿入可能な差込プラグまでと、タップ部から機器用差込プラグまでの電線部１４を備えている。【０００９】ＡＣアダプター用中継電源コードタップには図５に示すように、ＡＣアダプター用電源コードタップの電源コンセントに挿入可能な差込プラグの代わりに、機器用ＡＣアダプターの本体などに使用されているインレットを用いた、インレット型差込プラグ１５を備えた形態である。
【実施例】
【００１０】  以下、一実施例を添付図面に従って説明する。本考案品のＡＣアダプター用電源コードタップは、図４で示す様に機器用ＡＣアダプターに接続する機器用差込プラグ１１と、複数の電源コンセントを有する電源タップ部１２、及び電源コンセントに挿入可能な差込プラグ１３と、タップ部から電源コンセントに挿入可能な差込プラグまでと、タップ部から機器用差込プラグまでの電線部１４で形成され、図２で示すように、ノートパソコン用ＡＣアダプターに接続することにより、ノートパソコン付近で簡単に必要な電源プラグの差込口数の電源を確保できる。【００１１】  図５は、ＡＣアダプター用電源コードタップの電源コンセントに挿入可能な差込プラグの代わりに、機器用ＡＣアダプターの本体などに使用されているインレットを用いたインレット型差込プラグ１５で形成されるＡＣアダプター用中継電源コードタップであり、図３で示すように、電源コンセントから電源供給が必要な場所まで距離がより遠い場合、でも電源確保がし易くなる。
【図面の簡単な説明】
【０００１２】
【図１】  従来の電線が短い電源タップを使用し、長さが足りなく、電源コンセント付近にて電源確保をしている状態図である。
【図２】  機器用ＡＣアダプターに接続する電源コードを本考案品であるＡＣアダプター用電源コードタップを使用し、必要な場所で電源確保ができている状態図である。
【図３】  機器用ＡＣアダプターとＡＣアダプター用電源コードの間に本考案品であるＡＣアダプター用中継電源コードタップを使用し、必要な場所で電源確保ができている状態図である。
【図４】  機器用ＡＣアダプターに接続する機器用差込プラグ１１と、複数の電源コンセント口を有する電源タップ部１２、及び電源コンセントに挿入可能な差込プラグ１３とタップ部から電源コンセントに挿入可能な差込プラグまでと、タップ部から機器用差込プラグまでの電線部１４で形成された。ＡＣアダプター用電源コードタップの実施例である。
【図５】  上記図４に説明したＡＣアダプター用電源コードタップの電源コンセントに挿入可能な差込プラグの代わりに、機器用ＡＣアダプターの本体などに使用されているインレットを用いた、インレット型差込プラグ１５で形成されたＡＣアダプター用中継電源コードタップの実施例である。
【符号の説明】
【０００１３】      １      ノートパソコン
２      機器用ＡＣアダプター
３      ＡＣアダプター用電源コード
４      電源コンセント
５      デジタルカメラ用充電器
６      携帯電話用充電器とそれに接続している携帯電話
７      携帯ゲーム機用充電器とそれに接続しているゲーム機
８      電線の短い電源タップ
９      ＡＣアダプター用電源コードタップ
１０      ＡＣアダプター用中継電源コードタップ
１１      機器用差込プラグ
１２      タップ部
１３      電源コンセントに挿入可能な差込プラグ
１４      電線部
１５      インレット型差込プラグ
【図１】
0003139657.tif 000003
【図２】
0003139657.tif 000004
【図３】
0003139657.tif 000005
【図４】
0003139657.tif 000006
【図５】
0003139657.tif 000007